(57)【特許請求の範囲】
【請求項１】
両端をサイドプレート（１４）に回転可能に支持される２つの巻取パイプ（１６、１７）と、第１巻取パイプ（１６）に一端側が巻取り及び巻解き可能に連結される第１生地（１８）と、第１生地（１８）の他端側に連結される第１ウエイトバー（２０）と、第２巻取パイプ（１７）に一端側が巻取り及び巻解き可能に連結される第２生地（１９）と、第２生地（１９）の他端側に連結される第２ウエイトバー（２１）と、からなるロールスクリーンの端部を平面状の保護材（３０、３０’、３０”）で保護するロールスクリーンの端部の保護方法であって、
平面状の保護材（３０、３０’、３０”）の上にロールスクリーンの端部を載置し、
保護材の一部を折り曲げてロールスクリーンの端部に沿って立ち上げて起立部（３０Ａ）を形成し、
該起立部の一部を略９０度折り曲げた第１折曲部（３０Ｂ）を形成して、該第１折曲部を第１ウエイトバー（２０）と第２巻取パイプ（１７）との間に挿入し、
起立部（３０Ａ）の他の部分を折り曲げて前記第１折曲部（３０Ｂ）に対して略９０度をなす第２折曲部（３０Ｃ、３０Ｃ’）を形成して、該第２折曲部を第２巻取パイプ（１７）と第２ウエイトバー（２１）との間に挿入することにより、前記ロールスクリーンの端部を覆うことを特徴とするロールスクリーンの端部の保護方法。
【請求項２】
起立部のさらに他の部分を第２折曲部（３０Ｃ、３０Ｃ’）に向かって折り曲げて第３折曲部（３０Ｄ、３０Ｄ’）を形成して、第３折曲部が第２折曲部と角度をなすようにして第３折曲部の先端部が第２ウエイトバーよりも高くなるようにすることを特徴とする請求項１記載のロールスクリーンの端部の保護方法。
【請求項３】
両端をサイドプレート（１４）に回転可能に支持される２つの巻取パイプ（１６、１７）と、第１巻取パイプ（１６）に一端側が巻取り及び巻解き可能に連結される第１生地（１８）と、第１生地（１８）の他端側に連結される第１ウエイトバー（２０）と、第２巻取パイプ（１７）に一端側が巻取り及び巻解き可能に連結される第２生地（１９）と、第２生地（１９）の他端側に連結される第２ウエイトバー（２１）と、からなるロールスクリーンの端部を保護するロールスクリーン端部用保護材であって、
展開状態で平面状の保護材（３０、３０’、３０”）からなり、
前記平面状の保護材（３０、３０’、３０”）からロールスクリーンの端部に沿って立ち上がって形成される起立部（３０Ａ）と、
該起立部の一部から折り曲げて形成されて、第１ウエイトバー（２０）と第２巻取パイプ（１７）との間に挿入される第１折曲部（３０Ｂ）と、
前記起立部（３０Ａ）の他の部分から折り曲げて形成されて、第２巻取パイプ（１７）と第２ウエイトバー（２１）との間に挿入される第２折曲部（３０Ｃ、３０Ｃ’）と、
を有するロールスクリーン端部用保護材。
【請求項４】
前記起立部のさらに他の部分を第２折曲部（３０Ｃ、３０Ｃ'）に向かって折り曲げて形成される第３折曲部（３０Ｄ、３０Ｄ’）をさらに有し、第３折曲部が第２折曲部と角度をなすようにして第３折曲部の先端部が第２ウエイトバーよりも高くなるように構成されることを特徴とする請求項３記載のロールスクリーン端部用保護材。
【請求項５】
前記保護材（３０、３０’、３０”）は、展開状態で、前記起立部（３０Ａ）の立ち上げのための折り曲げ線に関して線対称に構成されているものであることを特徴とする請求項３または４記載のロールスクリーン端部用保護材。
【発明の詳細な説明】
【技術分野】
【０００１】
本発明は、一対のサイドプレート間に２つの巻取パイプが配置されるロールスクリーンの運搬・梱包のためにロールスクリーンの端部を保護する方法及びそのための保護材に関する。
【背景技術】
【０００２】
従来、一対のサイドプレート間に２つの巻取パイプが配置されるロールスクリーンとしては、特許文献１に示されるものが知られている。このようなロールスクリーンは、両端をサイドプレートに回転可能に支持される２つの巻取パイプと、一方の巻取パイプに一端側が巻取り及び巻解き可能に連結される第１生地と、第１生地の他端側に連結される第１ウエイトバーと、他方の巻取パイプに一端側が巻取り及び巻解き可能に連結される第２生地と、第２生地の他端側に連結される第２ウエイトバーとからなる。
【０００３】
このようなロールスクリーンでは、巻取パイプとウエイトバーとがそれぞれ２つあるために、これらの干渉を防止しながら運搬・梱包を行うことは、サイドプレート間に１つの巻取パイプが配置される通常のロールスクリーンよりも困難である。
【０００４】
一方、通常のロールスクリーンにおいて、巻取パイプとウエイトバーとの干渉を防止し、スクリーンにウエイトバーの押し跡が付かないようにしたロールスクリーン用支持部材としては、特許文献２に示されたものが知られている。これによれば支持部材は、巻取パイプを回転可能に支持する固定部材に取り付け可能な第１保持部と、ウエイトバーの端部に取り付け可能な第２保持部と、を有し、ロールスクリーンに取り付けた状態で、巻取パイプに巻き取られているスクリーンとウエイトバーとを離反した状態で保持することができる。
【０００５】
【特許文献１】特開２００２−３７１７７４号公報
【特許文献２】特開２００７−１９８０１３号公報
【発明の開示】
【発明が解決しようとする課題】
【０００６】
しかしながら、特許文献２のような支持部材を特許文献１に記載のロールスクリーンに適用しようとするには、複数の巻取パイプ及びウエイトバーが存在するために、部品強度やスペースの問題があり、適用が困難であるという問題がある。
【０００７】
本発明はかかる課題に鑑みなされたもので、一対のサイドプレート間に２つの巻取パイプが配置されるロールスクリーンに対して、その運搬・梱包の際に生地にシワ、傷、押し跡が付かないようにすることができるロールスクリーンの端部の保護方法及びロールスクリーン端部用保護材を提供することをその目的とする。
【課題を解決するための手段】
【０００８】
前述した目的を達成するために、請求項１記載の発明は、両端をサイドプレートに回転可能に支持される２つの巻取パイプと、第１巻取パイプに一端側が巻取り及び巻解き可能に連結される第１生地と、第１生地の他端側に連結される第１ウエイトバーと、第２巻取パイプに一端側が巻取り及び巻解き可能に連結される第２生地と、第２生地の他端側に連結される第２ウエイトバーと、からなるロールスクリーンの端部を平面状の保護材で保護するロールスクリーンの端部の保護方法であって、
平面状の保護材の上にロールスクリーンの端部を載置し、
保護材の一部を折り曲げてロールスクリーンの端部に沿って立ち上げて起立部を形成し、
該起立部の一部を略９０度折り曲げた第１折曲部を形成して、該第１折曲部を第１ウエイトバーと第２巻取パイプとの間に挿入し、
起立部の他の部分を折り曲げて前記第１折曲部に対して略９０度をなす第２折曲部を形成して、該第２折曲部を第２巻取パイプと第２ウエイトバーとの間に挿入することにより、前記ロールスクリーンの端部を覆うことを特徴とする。
【０００９】
請求項２記載の発明は、請求項１記載の方法において、起立部のさらに他の部分を第２折曲部に向かって折り曲げて第３折曲部を形成して、第３折曲部が第２折曲部と角度をなすようにして第３折曲部の先端部が第２ウエイトバーよりも高くなるようにすることを特徴とする。
【００１０】
請求項３記載の発明は、両端をサイドプレートに回転可能に支持される２つの巻取パイプと、第１巻取パイプに一端側が巻取り及び巻解き可能に連結される第１生地と、第１生地の他端側に連結される第１ウエイトバーと、第２巻取パイプに一端側が巻取り及び巻解き可能に連結される第２生地と、第２生地の他端側に連結される第２ウエイトバーと、からなるロールスクリーンの端部を保護するロールスクリーン端部用保護材であって、
展開状態で平面状の保護材からなり、
前記平面状の保護材からロールスクリーンの端部に沿って立ち上がって形成される起立部と、
該起立部の一部から折り曲げて形成されて、第１ウエイトバーと第２巻取パイプとの間に挿入される第１折曲部と、
前記起立部の他の部分から折り曲げて形成されて、第２巻取パイプと第２ウエイトバーとの間に挿入される第２折曲部と、
を有する。
【００１１】
請求項４記載の発明は、請求項３記載のロールスクリーン端部用保護材が、前記起立部のさらに他の部分を第２折曲部に向かって折り曲げて形成される第３折曲部をさらに有し、第３折曲部が第２折曲部と角度をなすようにして第３折曲部の先端部が第２ウエイトバーよりも高くなるように構成されることを特徴とする。
【００１２】
請求項５記載の発明は、請求項３または４記載の前記保護材が、展開状態で、前記起立部の立ち上げのための折り曲げ線に関して線対称に構成されているものであることを特徴とする。
【発明の効果】
【００１３】
本発明によれば、第１折曲部が第１ウエイトバーと第２巻取りパイプとの間に挿入されるので、第１ウエイトバーの移動が阻止されて、第１生地が完全に第１巻取パイプに巻き取られていなくても第１生地にテンションをかけた状態にしておくことができるため、第１生地にシワや傷が付かないようにすることができる。また、第１ウエイトバーと第２巻取パイプとの干渉を防止することができるため、第２巻取パイプに巻き取られている第２生地に第１ウエイトバーの押し跡が付かないようにすることができる。
【００１４】
また、第２折曲部を第２ウエイトバーと第２巻取パイプとの間に挿入することにより、第２ウエイトバーと第２巻取パイプとの干渉を防止することができるため、第２巻取パイプに巻き取られている第２生地に第２ウエイトバーの押し跡が付かないようにすることができる。
【００１５】
第３折曲部があることによって、保護材で端部が保護されたロールスクリーンを別の箱に収納したときに、第３折曲部がこの箱の内面に弾接することができるのでロールスクリーンが箱の中で動かないようにすることができると共に、第３折曲部がクッションの役割を果たすことができる。
【００１６】
また、保護材が前記起立部の立ち上げのための折り曲げ線に関して線対称に構成されているので、保護材を左右兼用として使用することができて、同じ保護材を用いてロールスクリーンの両端部を保護することができる。
【発明を実施するための最良の形態】
【００１７】
以下、図面を用いて本発明の実施の形態を説明する。
図１は本発明のロールスクリーンの端部の保護方法を実施するためのロールスクリーン端部用保護材の展開図である。
【００１８】
このロールスクリーン端部用保護材３０は、一対のサイドプレート間に２つの巻取パイプが配置されるロールスクリーンの運搬・梱包の際に、ロールスクリーンの端部の保護を行うことにより、生地にシワや傷が付かないようにすることができるものである。ロールスクリーン１０は、図２、図３に示したように、窓枠等に取り付けられるセットフレーム１２の両端に取り付けられた一対のサイドプレート１４，１４を有しており、サイドプレート１４，１４の間に２つの第１巻取パイプ１６，第２巻取パイプ１７が回転可能に支持されている。第１巻取パイプ１６と第２巻取パイプ１７は間隔をあけて配置されており、第１巻取パイプ１６は第２巻取パイプ１７に比較してセットフレーム１２近傍に位置づけられている。第１巻取パイプ１６には第１生地１８の一端側が巻取り及び巻解き可能に連結されており、第２巻取パイプ１７には第２生地１９の一端側が巻取り及び巻解き可能に連結されている。第１生地１８、第２生地１９のそれぞれの他端側には、第１ウエイトバー２０，第２ウエイトバー２１が連結されている。第１生地１８，第２生地１９は、それぞれ全く同じ柄、同じ材質、同じ遮蔽度を持つものとすることができるが、異なる柄、異なる材質、異なる遮蔽度を持つものとすることができる。
【００１９】
ロールスクリーン１０は、特許文献１に記載されるように、その第１巻取パイプ１６内に上限位置設定装置を設けることができる。この上限位置設定装置によって、第１生地１８の巻取り上限位置は、第１ウエイトバー２０の位置が第２巻取パイプ１７に完全に巻き取られた第２生地１９の下端の位置とほぼ同じか下端よりも下方の位置となるように設定されて、生地を巻き取った第１巻取パイプ１６と第２巻取パイプ１７との間に形成される隙間を第１生地１８が覆い隠すことができる。この場合、第１ウエイトバー２０と第１巻取パイプ１６とは、常時所定間隔以上離間することになる。但し、保護対象となるロールスクリーンは、必ずしもそのような上限位置設定装置は必要とするものではなく、第１生地１８を完全に第１巻取パイプ１６に巻き取ることができるロールスクリーンであっても良いことは勿論である。
【００２０】
ロールスクリーン端部用保護材３０は、展開状態で平面状となっており、折曲可能な厚みのあるシート材からなる。シート材としては、ダンボール等の紙、厚い布、発泡材で構成することができる。そして、ロールスクリーン端部用保護材３０は、折り目と切り込みによって複数の部分に分かれており、中央に形成された中央折り目３０ａ及び中央切り込み３０ｂによって左右対称に構成され、中央折り目３０ａ及び中央切り込み３０ｂを挟み、一対の起立部３０Ａ、３０Ａとなる部分で構成される。
【００２１】
各起立部３０Ａとなる部分は、長方形から小さな長方形が切り欠かれた形状をしている。各起立部３０Ａには、中央折り目３０ａと中央切り込み３０ｂの境目からこれらに直交するようにして第２折り目３０ｃと第２切り込み３０ｄが形成されており、第２折り目３０ｃによって区切られて中央切り込み３０ｂに隣接する部分が第１折曲部３０Ｂとなる部分である。また、起立部３０Ａには、第２折り目３０ｃと第２切り込み３０ｄの境目からこれらに直交するようにして第３折り目３０ｅと第４折り目３０ｆとが形成されており、第３折り目３０ｅに隣接する部分が第２折曲部３０Ｃとなる部分であり、第４折り目３０ｆに隣接する部分が第３折曲部３０Ｄとなる部分である。
【００２２】
但し、これらの起立部３０Ａ，３０Ａ、第１折曲部３０Ｂ、第２折曲部３０Ｃ、第３折曲部３０Ｄは、使用前の展開状態では平面状となっており、顕在化されていない。
【００２３】
そして、起立部３０Ａの中央折り目３０ａまたは中央切れ目３０ｂと平行な方向に沿って測った寸法は、生地を最大限巻取った状態のロールスクリーン１０の高さ寸法とほぼ等しくなっている。
【００２４】
以上のように構成されるロールスクリーン端部用保護材３０を用いてロールスクリーン１０の端部を覆うことにより保護する手順を以下に説明する。
【００２５】
今、ロールスクリーン１０の左端部を覆うことを考える。この場合、ロールスクリーン１０を、セットフレーム１２の裏面１２ａが上側になるように、その正面側を下側として保護材３０に直接接触するようにして（図３）、中央折り目３０ａ及び中央切り込み３０ｂよりも図において右側に載置する（図４）。このとき、サイドプレート１４が中央折り目３０ａ及び中央切り込み３０ｂの近傍で平行になるようにし、セットフレーム１２から遠い方にある第１ウエイトバー２０を右側の第１折曲部３０Ｂの縁部の近傍で平行になるようにし、サイドプレート１４の上端即ちセットフレーム１２を右側の起立部３０Ａの縁部の近傍で平行になるようにする。ここで、図４〜図８はセットフレーム１２を省略した状態で示している。
【００２６】
この状態から、左側の保護材の部分を中央折り目３０ａ及び中央切り込み３０ｂに従いサイドプレート１４に沿って立ち上げて起立部３０Ａを形成する（図５）。
【００２７】
そして、起立部３０Ａから第２折り目３０ｃ及び第２切り込み３０ｄに従い略９０度折り曲げて第１折曲部３０Ｂを形成し、第１折曲部３０Ｂを第１ウエイトバー２０と第２巻取パイプ１７との間に挿入する（図６）。
【００２８】
また、起立部３０Ａから第３折り目３０ｅに従い略９０度折り曲げて第１折曲部３０Ｂに対して略９０度をなす第２折曲部３０Ｃを形成し、第２折曲部３０Ｃを第２巻取パイプ１７と第２ウエイトバー２１との間に挿入する（図７）。ここで、第２折曲部３０Ｃは、第２巻取パイプ１７と第２ウエイトバー２１との間に挿入されることにより、折曲角度及び第１折曲部３０Ｂに対する角度は正確な９０度とは限らない。しかしながら、この特許請求の範囲及び明細書において略９０度とは厳密な９０度に限らず、ある程度の角度の範囲を許容するものである。
【００２９】
尚、第１折曲部３０Ｂと第２折曲部３０Ｃは、いずれを先に折曲してもよい。
【００３０】
さらに、第１折曲部３０Ｂから第４折り目３０ｆに従い折り曲げて第３折曲部３０Ｄを形成する（図８）。この折曲角度は９０度よりも小さいものとすることができる。
【００３１】
同様の手順で左右対称にして、ロールスクリーン１０の右端部を保護材で保護する。そして、ロールスクリーン１０の両端部を覆った後、別の箱３２に挿入することで、完全にロールスクリーン１０全体を覆うことができるようになる。このとき、第３折曲部３０Ｄが箱３２の内面に弾接する（図９）。
【００３２】
以上のような手順によって、図１０に示すように、第１折曲部３０Ｂを第１ウエイトバー２０と第２巻取パイプ１７との間に挿入することで、第１ウエイトバー２０の移動が阻止されて、第１生地１８が完全に第１巻取パイプ１６に巻き取られていなくても第１生地１８にテンションをかけた状態にしておくことができるため、第１生地１８にシワや傷が付かないようにすることができる。また、第１ウエイトバー２０と第２巻取パイプ１７との干渉を防止することができるため、第２巻取パイプ１７に巻き取られた第２生地１９に第１ウエイトバー２０の押し跡が付かないようにすることができる。
【００３３】
また、第２折曲部３０Ｃを第２ウエイトバー２１と第２巻取パイプ１７との間に挿入することにより、第２ウエイトバー２１と第２巻取パイプ１７との干渉を防止することができるため、第２巻取パイプ１７に巻き取られた第２生地１９に第２ウエイトバー２１の押し跡が付かないようにすることができる。
【００３４】
また、図１１に示すように箱３２内に収容した状態で、第３折曲部３０Ｄが箱３２内で箱３２の内面に弾接することで、ロールスクリーン１０が箱３２の中で動かないようにすることができると共に、第３折曲部３０Ｄがクッションの役割を果たすことができる。
【００３５】
ロールスクリーン端部用保護材３０は左右対称の形状をしているので、ロールスクリーン１０の両端に共通して使用することができる。また、ロールスクリーン端部用保護材３０は、ダンボールといった紙材等で構成することができるので、使用後にはその処分も簡単であり、箱３２と一緒に処分することができ、資源ゴミとしてリサイクルすることもでき、環境にも好ましい。
【００３６】
図１２及び図１３は、本発明の他の実施形態を表す図である。この例では、前実施形態と第２折曲部と第３折曲部の位置とが入れ替わった形状をしている。即ち、このロールスクリーン端部用保護材３０’では、前実施形態と同じ折り目３０ａ、３０ｃ、３０ｅ、３０ｆ、切り込み３０ｂ、３０ｄが形成されているが、第４折り目３０ｆに隣接する部分が第２折曲部３０Ｃ’となる部分となり、第３折り目３０ｅに隣接する部分が第３折曲部３０Ｄ’となる。
【００３７】
図１３に示すように、第２折曲部３０Ｃ’は、第１折曲部３０Ｂが折曲した後、第１折曲部３０Ｂに対して略９０度折り曲げられることにより形成され、第２ウエイトバー２１と第２巻取パイプ１７との間に挿入される。
【００３８】
また、第３折曲部３０Ｄ’は、最後に折り曲げられて、箱３２内で箱３２の内面に弾接することで、ロールスクリーン１０が箱３２内で動かないようにすることができると共に、第３折曲部３０Ｄ’がクッションの役割を果たすことができる。
このような構成であっても、前実施形態と同様の作用・効果を果たすことができる。
【００３９】
図１４及び図１５は、本発明の他の実施形態を表す図である。以上の例では、第２折曲部３０Ｃ、３０Ｃ’によって第２ウエイトバー２１がセットフレーム１２の裏面１２ａの上に強制的に載置されるようにしているが、セットフレーム１２の裏面１２ａがない場合には、図１４に示すように、長方形をしたロールスクリーン端部用保護材３０”に切り欠きを設けずにその部分を第４折曲部３０Ｅとすることも可能である。即ち、第３折り目３０ｅと直交して第３切り込み３０ｇが形成されており、第３切り込み３０ｇによって第２折曲部３０Ｃと第４折曲部３０Ｅが形成される。第４折曲部３０Ｅは、第２折曲部３０Ｃと同様に略９０度折り曲げられて、第２ウエイトバー２１と第１巻取パイプ１６との間に挿入することができる。こうして、第２ウエイトバー２１と第１巻取パイプ１６との干渉を防ぐことが可能である。第２生地１９は、第２折曲部３０Ｃと第４折曲部３０Ｅとの間の第３切り込み３０ｇを挿通する。
このような構成であっても、前実施形態と同様の作用・効果を果たすことができる。
【図面の簡単な説明】
【００４０】
【図１】本発明のロールスクリーン端部用保護材の平面図である。
【図２】（ａ）は保護されるロールスクリーンの巻取状態での部分背面図、（ｂ）はその断面図である。
【図３】覆う前のロールスクリーン端部用保護材とロールスクリーンの斜視図である。
【図４】ロールスクリーン端部用保護材によってロールスクリーンを覆う手順を表す斜視図であり、（ａ）はセットフレームを省略した状態でのロールスクリーンを仮想線で表し、（ｂ）はセットフレームを省略した状態でのロールスクリーンを含めて表す。
【図５】図４に続き、ロールスクリーン端部用保護材によってロールスクリーンを覆う手順を表す斜視図であり、（ａ）はセットフレームを省略した状態でのロールスクリーンを仮想線で表し、（ｂ）はセットフレームを省略した状態でのロールスクリーンを含めて表す。
【図６】図５に続き、ロールスクリーン端部用保護材によってロールスクリーンを覆う手順を表す斜視図であり、（ａ）はセットフレームを省略した状態でのロールスクリーンを仮想線で表し、（ｂ）はセットフレームを省略した状態でのロールスクリーンを含めて表す。
【図７】図６に続き、ロールスクリーン端部用保護材によってロールスクリーンを覆う手順を表す斜視図であり、（ａ）はセットフレームを省略した状態でのロールスクリーンを仮想線で表し、（ｂ）はセットフレームを省略した状態でのロールスクリーンを含めて表す。
【図８】図７に続き、ロールスクリーン端部用保護材によってロールスクリーンを覆う手順を表す斜視図であり、（ａ）はセットフレームを省略した状態でのロールスクリーンを仮想線で表し、（ｂ）はセットフレームを省略した状態でのロールスクリーンを含めて表す。
【図９】両端部を覆ったロールスクリーンを箱に梱包した状態を表す斜視図である。
【図１０】端部をロールスクリーン端部用保護材で覆った状態におけるロールスクリーンの断面図である。
【図１１】箱に梱包した状態を表す断面図である。
【図１２】本発明のロールスクリーン端部用保護材の他の実施形態を表す平面図である。
【図１３】図１２のロールスクリーン端部用保護材で覆った状態を表す斜視図であり、（ａ）はセットフレームを省略した状態でのロールスクリーンを仮想線で表し、（ｂ）はセットフレームを省略した状態でのロールスクリーンを含めて表す。
【図１４】本発明のロールスクリーン端部用保護材のさらに他の実施形態を表す平面図である。
【図１５】図１４のロールスクリーン端部用保護材で覆った状態を表す斜視図であり、（ａ）はセットフレームを省略した状態でのロールスクリーンを仮想線で表し、（ｂ）はセットフレームを省略した状態でのロールスクリーンを含めて表す。
【符号の説明】
【００４１】
１０  ロールスクリーン
１４  サイドプレート
１６  第１巻取パイプ
１７  第２巻取パイプ
１８  第１生地
１９  第２生地
２０  第１ウエイトバー
２１  第２ウエイトバー
３０、３０’、３０”  ロールスクリーン端部用保護材
３０Ａ  起立部
３０Ｂ  第１折曲部
３０Ｃ、３０Ｃ’  第２折曲部
３０Ｄ、３０Ｄ’  第３折曲部
【図１】
0005121495.tif 000002
【図２】
0005121495.tif 000003
【図３】
0005121495.tif 000004
【図４】
0005121495.tif 000005
【図５】
0005121495.tif 000006
【図６】
0005121495.tif 000007
【図７】
0005121495.tif 000008
【図８】
0005121495.tif 000009
【図９】
0005121495.tif 000010
【図１０】
0005121495.tif 000011
【図１１】
0005121495.tif 000012
【図１２】
0005121495.tif 000013
【図１３】
0005121495.tif 000014
【図１４】
0005121495.tif 000015
【図１５】
0005121495.tif 000016